(57)【要約】【課題】  ２枚の展示物を同時に展示可能で、かつ上記展示物を夫々差し替え可能で、全体をコンパクト化しうる卓上ディスプレイ装置を提供する。【解決手段】  正面部と背面部とに背中合わせで夫々展示物を保持しうる展示部が設けられ、正面部の展示部と背面部の展示部は互いに折り畳み可能で、かつ下端部が一定間隔だけ離間して相互の展示部が起立した状態を互いに保持しうる支持部となるように形成され、上記正面部の展示部と、上記背面部の展示部には夫々、差し替え用の複数の展示物を保持しうる収納部が設けられている。【選択図】  図３
0003127626.tif 000002
【実用新案登録請求の範囲】
【請求項１】
正面部と背面部とに背中合わせで夫々展示物を保持しうる展示部が設けられ、正面部の展示部と背面部の展示部は互いに折り畳み可能で、かつ下端部が一定間隔だけ離間して相互の展示部が起立した状態を互いに保持しうる支持部となるように形成され、
上記正面部の展示部と、上記背面部の展示部には夫々、差し替え用の複数の展示物を保持しうる収納部が設けられていることを特徴とする卓上ディスプレイ装置。
【請求項２】
上記正面部の展示部と、上記背面部の展示部は、上端部同士が折り畳み可能に連結されると共に、下端部間が一定幅を有して幅方向に対し直角方向に沿って折り畳み可能かつ展開可能な底板部を介して連結され、上記底板部には幅方向に沿って起立し展開状態を固定しうる折り起こし片が設けられていることを特徴とする請求項１記載の卓上ディスプレイ装置。
【請求項３】
上記正面部の展示部は、表面部に展示物を目視しうる窓部を有すると共に、裏面部に上記収納部を収納可能な凹部を有し、上記裏面部には背板部が折り畳み可能かつ展開可能に連結され、上記収納部は上面部に開口部を有する略箱状に形成されて上記背板部に一体に突出状態に設けられ、折り畳み状態で上記凹部に没入可能に形成されていることを特徴とする請求項１又は２記載の卓上ディスプレイ装置。
【請求項４】
上記背面部の展示部は、展示物を目視しうる窓部を有すると共に、上記窓部の背後に連通状態で上記収納部が設けられ、上記正面部の展示部における上記背板部の上端部と折り畳み可能かつ展開可能に連結されていることを特徴とする請求項１〜３のいずれか１項に記載された卓上ディスプレイ装置。
【請求項５】
上記正面部の展示部は写真等を飾るものとして形成され、上記背面部の展示部はカレンダー紙を展示するものとして形成され、上記背面部の展示部に設けられた上記収納部は略箱状に形成されて、その上面部にカレンダー紙を出し入れ可能な開口部が露呈する状態に設けられていることを特徴とする請求項１〜４のいずれか１項に記載された卓上ディスプレイ装置。
【請求項６】
１枚の厚紙を切断することにより全体を展開した形状の平板な基板が形成されると共に、上記基板の所要箇所に折曲線が設けられ、上記基板が上記折曲線の位置で折り曲げられると共に、所要箇所が接着されることにより立体的に組み立てられて形成されたことを特徴とする請求項１〜５のいずれか１項に記載された卓上ディスプレイ装置。
【考案の詳細な説明】
【技術分野】
【０００１】
本考案は卓上ディスプレイ装置に係り、特に、２枚の展示物を同時に展示しうると共に、上記展示物を夫々差し替え可能で、全体をコンパクトに形成しうる卓上ディスプレイ装置に関する。
【背景技術】
【０００２】
テーブル等の上には写真立てや卓上カレンダー等が置かれることが多い。
上記写真立てや卓上カレンダーは別個に形成されており、別々に管理しなければならない、という煩雑がある。
【０００３】
なお、卓上カレンダーには、表裏両面に夫々カレンダー紙を展示しうるように形成されたものが存在するが、これは、カレンダー紙の両面にカレンダーを印刷してカレンダー紙を捲って反転させるように構成されている。
【０００４】
これに対し、別個のカレンダー紙と写真等を一緒に展示しうるように形成され、かつカレンダー紙と写真等を夫々差し替え可能に構成された卓上ディスプレイ装置は存在していない。
【０００５】
ところで、上記のようにカレンダー紙と写真等を一緒に保持して展示しうるディスプレイ装置を形成する場合、上記カレンダー紙と写真等は差し替えのために夫々複数枚づつ保持する必要があり、そのためには、複数枚のカレンダー紙と写真等を保持するための収納スペースを設ける必要がある。
したがって、全体の厚さ寸法を大きくしなければならず、テーブル等の上に置いた場合に嵩張って邪魔になるという不具合がある。
【０００６】
本出願人は、上記不具合を解消しうる卓上ディスプレイ装置について先行技術を調査したが、関連する先行技術文献を見出すことはできなかった。
【考案の開示】
【考案が解決しようとする課題】
【０００７】
そこで、本考案の課題は、２枚の展示物を同時に展示可能で、かつ上記展示物を夫々差し替え可能で、全体をコンパクト化しうる卓上ディスプレイ装置を提供することにある。
【課題を解決するための手段】
【０００８】
上記課題を解決するために、本考案に係る卓上ディスプレイ装置は、正面部と背面部とに背中合わせで夫々展示物を保持しうる展示部が設けられ、正面部の展示部と背面部の展示部は互いに折り畳み可能で、かつ下端部が一定間隔だけ離間して相互の展示部が起立した状態を互いに保持しうる支持部となるように形成され、上記正面部の展示部と、上記背面部の展示部には夫々、差し替え用の複数の展示物を保持しうる収納部が設けられていることを特徴とする。
【０００９】
すなわち、本考案に係る上記卓上ディスプレイ装置にあっては、上記正面部の展示部と背面部の展示部に同時に２枚の展示物を保持して展示することができる。また、正面部の展示部と背面部の展示部は互いに折り畳むことができるので、保管時や搬送時はコンパクトに折り畳んで嵩張らないようにすることができる。また、正面部の展示部と背面部の展示部の下端部を一定間隔だけ離間すれば、互いに相手の支持部となることができ、相手の展示部が起立した状態を保持することができるので、特に支持部を設ける必要がない。また、上記正面部の展示部と、上記背面部の展示部に夫々設けられた上記収納部には、差し替え用の複数の展示物を挿入して保持することができる。
【００１０】
また、本考案に係る上記卓上ディスプレイ装置は、上記正面部の展示部と、上記背面部の展示部は、上端部同士が折り畳み可能に連結されると共に、下端部間が一定幅を有して幅方向に対し直角方向に沿って折り畳み可能かつ展開可能な底板部を介して連結され、上記底板部には幅方向に沿って起立し展開状態を固定しうる折り起こし片が設けられていることを特徴とする。
【００１１】
すなわち、本考案に係る上記卓上ディスプレイ装置にあっては、上記正面部の展示部と、上記背面部の展示部とが折り畳まれた状態では、上記底板部も折り畳まれた状態を維持し、上記正面部の展示部と、上記背面部の展示部とを展開させると、上記底板部は伸長した状態になる。上記正面部の展示部と、上記背面部の展示部の展開は、上記底板部により規制され、上記底板部が伸長した状態で停止する。したがって、上記正面部の展示部と上記背面部の展示部が展開した状態では側面形状が略三角形になる。上記底板部が伸長した状態で上記折り起こし片を起立させると、上記底板部の折り畳みが阻止され、伸長状態が維持されるので、上記正面部の展示部と上記背面部の展示部がやや傾斜して起立した状態が固定される。
【００１２】
また、本考案に係る上記卓上ディスプレイ装置は、上記正面部の展示部は、表面部に展示物を目視しうる窓部を有すると共に、裏面部に上記収納部を収納可能な凹部を有し、上記裏面部には背板部が折り畳み可能かつ展開可能に連結され、上記収納部は上面部に開口部を有する略箱状に形成されて上記背板部に一体に突出状態に設けられ、折り畳み状態で上記凹部に没入可能に形成されていることを特徴とする。
【００１３】
すなわち、本考案に係る上記卓上ディスプレイ装置にあっては、上記正面部の展示部に保持された展示物は上記窓部を通して目視することができる。また、上記正面部の展示部に展示物を保持させるには、上記裏面部に形成された上記凹部に展示物を収納すればよい。また、上記正面部の展示部の裏面部には背板部が折り畳まれて重ね合わされるので、上記凹部は隠蔽される。上記収納部は上面部に形成された上記開口部から差し替え用の複数枚の展示物を挿入して保管することができる。また、上記収納部は上記背板部に一体に突出状態に設けられるので、所要の収納スペースを容易に確保することができる。また、上記背板部を折り畳めば上記凹部に没入するので、上記収納部の厚さが上記正面部の展示部の厚さに吸収される。
【００１４】
また、本考案に係る上記卓上ディスプレイ装置は、上記背面部の展示部は、展示物を目視しうる窓部を有すると共に、上記窓部の背後に連通状態で上記収納部が設けられ、上記正面部の展示部における上記背板部の上端部と折り畳み可能かつ展開可能に連結されていることを特徴とする。
【００１５】
すなわち、本考案に係る上記卓上ディスプレイ装置にあっては、上記背面部の展示部に保持された展示物は上記窓部を通して目視することができる。また、上記窓部の背後に連通状態で設けられた上記収納部には差し替え用の展示物を挿入して保管することができる。また、上記背面部の展示部は、上記正面部の展示部における上記背板部の上端部と折り畳み可能に連結されることから、上記正面部の展示部において上記背板部を展開可能とすることができる。
【００１６】
また、本考案に係る上記卓上ディスプレイ装置は、上記正面部の展示部は写真等を飾るものとして形成され、上記背面部の展示部はカレンダー紙を展示するものとして形成され、上記背面部の展示部に設けられた上記収納部は略箱状に形成されて、その上面部にカレンダー紙を出し入れ可能な開口部が露呈する状態に設けられていることを特徴とする。
【００１７】
すなわち、本考案に係る上記卓上ディスプレイ装置にあっては、写真等とカレンダーとを同時に展示することができる。また、カレンダー紙を挿入する収納部は開口部が露呈しているので、カレンダー紙を迅速に差し替えることができる。
【００１８】
また、本考案に係る上記卓上ディスプレイ装置は、１枚の厚紙を切断することにより全体を展開した形状の平板な基板が形成されると共に、上記基板の所要箇所に折曲線が設けられ、上記基板が上記折曲線の位置で折り曲げられると共に、所要箇所が接着されることにより立体的に組み立てられて形成されたことを特徴とする。
【００１９】
すなわち、本考案に係る上記卓上ディスプレイ装置にあっては、厚紙の切断して基板を形成し、上記基板の所要箇所を折り曲げ、さらに所要箇所を接着することにより容易に形成することができる。
【考案の効果】
【００２０】
請求項１記載の本考案に係る卓上ディスプレイ装置は、正面部と背面部とに背中合わせで夫々展示物を保持しうる展示部が設けられると共に、上記正面部の展示部と、上記背面部の展示部には夫々、差し替え用の複数の展示物を保持しうる収納部が設けられていることから、２枚の展示物を同時に展示することができると共に、各展示物は他の展示物と差し替えることができる。
また、正面部の展示部と背面部の展示部は互いに折り畳み可能であることから、嵩張らないようにコンパクトに折り畳んで保管し、かつ搬送することができる。
また、正面部と背面部とに夫々設けられた一対の上記展示部は、下端部が一定間隔だけ離間して相互の展示部が起立した状態を互いに保持しうる支持部となるように形成されていることから、支持部を特別に設ける必要がなく、構造が複雑化するのを避けることができて、容易に形成することができる。
【００２１】
請求項２記載の本考案に係る上記卓上ディスプレイ装置は、上記正面部の展示部と、上記背面部の展示部は、上端部同士が折り畳み可能に連結されると共に、下端部間が一定幅を有して幅方向に対し直角方向に沿って折り畳み可能かつ展開可能な底板部を介して連結されていることから、上記正面部の展示部と上記背面部の展示部の下端部間の間隔が必要以上に離間するのを防止して、上記正面部の展示部と上記背面部の展示部を適宜な傾斜角度で起立させた状態を維持することができる。
また、上記底板部には幅方向に沿って起立し展開状態を固定しうる折り起こし片が設けられていることから、展開した上記底板部が意に反して折り畳まれることが防止され、上記正面部の展示部と上記背面部の展示部が起立した状態が安定し、上記展示部の転倒が防止される。
【００２２】
請求項３記載の本考案に係る上記卓上ディスプレイ装置は、上記正面部の展示部は、表面部に展示物を目視しうる窓部を有すると共に、裏面部に上記収納部を収納可能な凹部を有し、上記裏面部には背板部が折り畳み可能かつ展開可能に連結され、上記収納部は上面部に開口部を有する略箱状に形成されて上記背板部に一体に突出状態に設けられていることから、上記収納部に差し替え用の複数の展示物を収納して保管し、使用する際に上記開口部から取り出して展示物を容易に差し替えることができる。
また、上記収納部は、上記背板部の折り畳み状態で上記凹部に没入可能に形成されていることから、上記収納部の厚さ寸法分が上記展示部の厚さに吸収され、全体の厚さ寸法の増大を回避して、嵩張らないようにコンパクトにすることができる。
また、上記収納部に保管された差し替え用の展示物は、外部から目視不可能に隠蔽されるので、汚れたり破損する可能性が小さくなる。
【００２３】
請求項４記載の本考案に係る上記卓上ディスプレイ装置は、上記背面部の展示部が、展示物を目視しうる窓部を有すると共に、上記窓部の背後に連通状態で上記収納部が設けられていることから、上記収納部に保管された展示物をそのまま上記展示部において展示することができる。したがって、展示物を差し替える場合は、上記収納部に保管された複数の展示物の位置を入れ替えるだけでよく、作業が容易である。
また、上記背面部の展示部は、上記正面部の展示部における上記背板部の上端部と折り畳み可能かつ展開可能に連結されていることから、上記正面部の展示部に上記背面部の展示部を折り畳み可能に連結しても、上記背板部の展開を可能とすることができるので、上記背板部を展開して上記正面部の展示部の展示物を支障なく差し替えることができる。
【００２４】
請求項５記載の本考案に係る卓上ディスプレイ装置は、上記正面部の展示部は写真等を飾るものとして形成され、上記背面部の展示部はカレンダー紙を展示するものとして形成されていることから、写真等とカレンダー紙とを一緒に展示し、装飾的な機能と実用的な機能を持たせることができる。
また、上記背面部の展示部に設けられた上記収納部は略箱状に形成されて、その上面部にカレンダー紙を出し入れ可能な開口部が露呈する状態に設けられていることから、カレンダー紙の上記収納部に対する出し入れが容易で、カレンダー紙の差し替えを簡便迅速に行うことができる。
【００２５】
請求項６記載の本考案に係る卓上ディスプレイ装置は、１枚の厚紙を切断することにより全体を展開した形状の平板な基板が形成されると共に、上記基板の所要箇所に折曲線が設けられ、上記基板が上記折曲線の位置で折り曲げられると共に、所要箇所が接着されることにより立体的に組み立てられて形成されたことから、厚紙の切断工程、基板の折曲工程、及び基板の所要箇所の接着工程のみで容易に製作することができ、製造コストを低減することができる。
【考案を実施するための最良の形態】
【００２６】
以下、図面を用いて本発明の実施の形態について説明する。
本実施の形態に係る卓上ディスプレイ装置１１は、図１及び図２に示すように、正面部と背面部とに背中合わせで夫々展示物１３，１６を保持しうる展示部１２，１５が設けられ、図４に示すように、正面部の展示部１２と背面部の展示部１５は互いに折り畳み可能で、かつ下端部が一定間隔だけ離間して相互の展示部１２，１５が起立した状態を互いに保持しうる支持部２１，２２となるように形成され、上記正面部の展示部１２と、上記背面部の展示部１５には夫々、図３及び図５に示すように、差し替え用の複数の展示物１３，１６を保持しうる収納部３４，３７が設けられている。
【００２７】
また、上記正面部の展示部１２と、上記背面部の展示部１５は、図３に示すように、上端部同士が折り畳み可能に連結されると共に、下端部間が一定幅を有して幅方向に対し直角方向に沿って折り畳み可能かつ展開可能な底板部１８を介して連結され、上記底板部１８には、図３及び図６に示すように、幅方向に沿って起立し展開状態を固定しうる折り起こし片２５，２６が設けられている。
【００２８】
また、上記正面部の展示部１２は、図１に示すように、表面部に展示物を目視しうる窓部２７を有すると共に、図５に示すように、裏面部２８に上記収納部３４を収納可能な凹部２９を有し、上記裏面部２８には、図３に示すように、背板部３０が折り畳み可能かつ展開可能に連結され、図５に示すように、上記収納部３４は上面部に開口部３５を有する略箱状に形成されて上記背板部３０に一体に突出状態に設けられ、図３に示すように、折り畳み状態で上記凹部２９に没入可能に形成されている。
【００２９】
また、上記背面部の展示部１５は、図２に示すように、展示物１６を目視しうる窓部３６を有すると共に、図３及び図５に示すように、上記窓部３６の背後に連通状態で上記収納部３７が設けられ、図３に示すように、上記正面部の展示部１２における上記背板部３０の上端部と折り畳み可能かつ展開可能に連結されている。
【００３０】
また、図１に示すように、上記正面部の展示部１２は写真等１４を飾るものとして形成され、上記背面部の展示部１５は、図２に示すように、カレンダー紙１７を展示するものとして形成され、図３及び図５に示すように、上記背面部の展示部１５に設けられた上記収納部３７は略箱状に形成されて、その上面部にカレンダー紙１７を出し入れ可能な開口部３８が露呈する状態に設けられている。
【００３１】
また、上記卓上ディスプレイ装置１１は、１枚の厚紙４１を切断することにより全体を展開した形状の平板な基板が形成されると共に、上記基板の所要箇所に折曲線が設けられ、上記基板が上記折曲線の位置で折り曲げられると共に、所要箇所が接着されることにより立体的に組み立てられて形成されている。
【実施例１】
【００３２】
図は実施例に係る卓上ディスプレイ装置１１を示したものである。
本実施例に係る卓上ディスプレイ装置１１は、図１に示すように、正面部に展示部１２が設けられ、上記展示部１２には展示物１３として写真等１４を展示しうるように形成されている。
また、図２に示すように、背面部にも展示部１５が設けられ、上記展示部１５には展示物１６としてカレンダー紙１７を展示しうるように形成されている。
上記正面部の展示部１２と、上記背面部の展示部１５は背中合わせに配置されている。
【００３３】
図４に示すように、正面部の上記展示部１２と背面部の上記展示部１５は互いに折り畳み可能に形成されている。
すなわち、正面部の上記展示部１２と背面部の上記展示部１５は、図３に示すように、上端部が直に折り畳み可能及び展開可能に連結され、下端部は所要幅を有する底板部１８を介して折り畳み可能及び展開可能に連結されている。
上記底板部１８には、図６に示すように、幅方向の中央部に沿って折曲線１９が設けられ、上記折曲線１９により折り畳み可能で、かつ伸長可能に形成されている。
【００３４】
上記底板部１８を伸長させると、図１〜図３に示すように、正面部の上記展示部１２と背面部の上記展示部１５は、下端部が一定間隔だけ離間して、側面形状が略三角形になり、正面部の上記展示部１２と背面部の上記展示部１５は夫々逆方向に傾斜して起立状態となる。
したがって、この状態でテーブル等２０の上に載置することができる。
テーブル等２０の上に載置した状態では、正面部の上記展示部１２は背面部の上記展示部１５の支持部２１となり、背面部の上記展示部１５は正面部の上記展示部１２の支持部２２となるように形成されている。
すなわち、正面部の上記展示部１２と、背面部の上記展示部１５は、相互に相手側の支持部２１，２２となるように形成されている。
【００３５】
上記底板部１８には、図６に示すように、上記折曲線１９上に半円状の切り込み２３，２４が設けられて、一対の折り起こし片２５，２６が形成されている。
上記折り起こし片２５，２６は、図３に示すように、幅方向に沿って起立することができ、上記底板部１８が伸長した状態を固定することができる。
【００３６】
正面部の上記展示部１２は、図１に示すように、額縁状に形成され、保持した写真等１４を目視しうる窓部２７が設けられている。
正面部の上記展示部１２の裏面部２８には、図５に示すように、方形の凹部２９が設けられている。
上記凹部２９は上記窓部２７と連通するように形成されている。
したがって、上記写真等１４は、上記凹部２９から挿入して、上記窓部２７の内面側に配置することができる。
【００３７】
正面部の上記展示部１２の裏面部２８は、図１〜図４に示すように、背板部３０により被覆されるように形成されている。したがって、上記背板部３０は上記凹部２９の蓋の役割を果たすことができる。
【００３８】
上記背板部３０は、図５に示すように、下端部の連結部３１を介して正面部の上記展示部１２に対し折り畳み可能かつ展開可能に連設されている。
上記背板部３０は、図１〜図４に示すように、折り畳み状態で、前面部３２が上記正面部の展示部１２における上記裏面部２８に密接するように形成されている。
【００３９】
また、上記正面部の展示部１２には、展示された上記写真等１４と差し替えるための、複数枚のその他の展示物３３を収納しうる収納部３４を備えている。
【００４０】
上記収納部３４は、図３及び図５に示すように、上記背板部３０の前面部３２に突出する状態に一体に形成されている。
また、上記収納部３４は、上面部に開口部３５を有する中空の箱状に形成されている。したがって、上記その他の展示物３３は、上記開口部３５を通して上記収納部３４に対し出し入れすることができる。
【００４１】
上記収納部３４は、図３及び図５に示すように、上記凹部２９に対し、没入可能な形状及びサイズに形成されている。
また、上記収納部３４は、上記凹部２９に没入した状態で、その前面部３２が上記正面部の展示部１２に保持された上記写真等１４の裏面に当接しうるように形成されている。
【００４２】
上記収納部３４は、図３に示すように、上記背板部３０を上記正面部の展示部１２に対し折り畳んだ際に、自動的に上記凹部２９に没入する。
また、上記収納部３４は、図５に示すように、上記背板部３０を上記正面部の展示部１２に対し展開させた際に、自動的に上記凹部２９から脱出する。
【００４３】
上記収納部３４は、図３に示すように、上記凹部２９に没入すると、上記正面部の展示部１２に保持された上記写真等１４の裏面と、上記正面部の展示部１２の上記裏面部２８を被覆する上記背板部３０の前面部３２との間に、隠蔽された状態で配置されることになる。
【００４４】
上記背面部の展示部１５には、図２に示すように、展示物１６として保持したカレンダー紙１７を目視しうる窓部３６が形成されている。
また、上記窓部３６の背後に連通状態で、差し替え用のカレンダー紙１７を収納可能な収納部３７が設けられている。
上記収納部３７は略箱状に形成されて、その上面部にカレンダー紙１７を出し入れ可能な開口部３８が露呈する状態に設けられている。
【００４５】
上記背面部の展示部１５は、図３に示すように、上記正面部の展示部１２における上記背板部３０の上端部と折り畳み可能かつ展開可能に連結されている。
【００４６】
２個所の上記収納部３４，３７には、図５に示すように、夫々、収納した展示物３３，１６を指で摘みやすくするための切欠部３９，４０が上縁部に設けられている。
【００４７】
上記卓上ディスプレイ装置１１は全体が厚紙４１により形成されている。
すなわち、１枚の厚紙４１を切断することにより全体を展開した形状の平板な基板（図示せず）が形成されると共に、上記基板の所要箇所に折曲線が設けられ、上記基板が上記折曲線の位置で折り曲げられると共に、所要箇所が接着されることにより立体的に組み立てられることにより形成されている。
【００４８】
次に、上記実施例の作用について説明する。
上記卓上ディスプレイ装置１１は、図１〜図３に示すように、下端部の上記底板部１８を伸長させ、上記折り起こし片２５，２６を起立させて固定することにより、正面部の上記展示部１２と背面部の上記展示部１５を夫々適度に傾斜するように起立させた状態で、テーブル等２０の上に載置することができる。
【００４９】
上記卓上ディスプレイ装置１１は、正面部の上記展示部１２に写真等１４を展示物１３として展示することができる。また、背面部の上記展示部１５にはカレンダー紙１７を展示物１６として展示することができる。
【００５０】
上記卓上ディスプレイ装置１１は、上記収納部３４，３７を備えているので、上記写真等１４やカレンダー紙１７と差し替えるための、その他の展示物３３，１６を上記収納部３４，３７に収納して保持することができる。
【００５１】
上記収納部３４，３７は箱状に形成されていることから、上記展示物３３，１６を収納した状態で確実に保護され、破損の心配がない。
また、上記収納部３４は背板部３０から突出するように形成されているので、上記展示物３３の収納スペースを十分に確保することができると共に、上記開口部３５を通して上記展示物３３を容易に出し入れすることができる。
【００５２】
また、上記収納部３４は上記背板部３０と一体に形成され、上記背板部３０を正面部の上記展示部１２に対し展開させることにより容易に露呈するので、上記展示物１３とその他の展示物３３の差し替えを容易に行うことができる。
【００５３】
また、上記背板部３０と正面部の上記展示部１２を折り畳むと、上記収納部３４は上記凹部２９に没入することから、上記収納部３４は上記展示部１２と上記背板部３０との間に隠蔽されて外部から目視できない。したがって、上記収納部３４が目障りにならない。
また、上記収納部３４の厚さが正面部の上記展示部１２の厚さに吸収されるので、全体の厚さ寸法の増大を回避することができ、全体をコンパクトにすることができる。
【００５４】
また、上記卓上ディスプレイ装置１１は、１枚の厚紙４１を切断し、折り曲げ、接着することにより容易に形成することができる。
本実施例に係る卓上ディスプレイ装置１１にあっては、全体が紙製であることから、環境にやさしいエコロジカルなディスプレイ装置を提供することができる。
【産業上の利用可能性】
【００５５】
本考案はテーブル等の上に立てて置くディスプレイ装置に適用可能である。
【図面の簡単な説明】
【００５６】
【図１】本考案の実施例に係る卓上ディスプレイ装置の正面側の斜視図である。
【図２】本考案の実施例に係る卓上ディスプレイ装置の背面側の斜視図である。
【図３】本考案の実施例に係る卓上ディスプレイ装置の中央部縦断面図である。
【図４】本考案の実施例に係る卓上ディスプレイ装置の折り畳み状態の斜視図である。
【図５】本考案の実施例に係る卓上ディスプレイ装置において正面部の展示部に対し背板部を展開した状態の斜視図である。
【図６】本考案の実施例に係る卓上ディスプレイ装置における底板部の平面図である。
【符号の説明】
【００５７】
１１  卓上ディスプレイ装置
１２  展示部
１３  展示物
１４  写真等
１５  展示部
１６  展示物
１７  カレンダー紙
１８  底板部
１９  折曲線
２０  テーブル等
２１  支持部
２２  支持部
２３  切り込み
２４  切り込み
２５  折り起こし片
２６  折り起こし片
２７  窓部
２８  裏面部
２９  凹部
３０  背板部
３１  連結部
３２  前面部
３３  展示物
３４  収納部
３５  開口部
３６  窓部
３７  収納部
３８  開口部
３９  切欠部
４０  切欠部
４１  厚紙
【図１】
0003127626.tif 000003
【図２】
0003127626.tif 000004
【図３】
0003127626.tif 000005
【図４】
0003127626.tif 000006
【図５】
0003127626.tif 000007
【図６】
0003127626.tif 000008